(57)【要約】  本発明は、チャネルアクセス方法、装置及びシステムを開示し、これはＳＴＡの監視処理を簡単にし、また複数のＳＴＡがチャネルアクセスをするときに満たされる時間同期をサポートし、それによって、隣接周波数帯域の信号が互いに干渉しないようにすることができる。この方法は、局ＳＴＡによってチャネルのチャネル状態を監視するステップであって、チャネルが少なくとも２つのサブチャネルを含むステップと、チャネルがアイドル状態にあることが監視されたときに、送信要求フレームをアクセスポイントＡＰにチャネル内の少なくとも１つのサブチャネルを介して送信するステップと、ＡＰによってフィードバックされたアクセス応答フレームが受信され、かつアクセス応答フレームが局の識別情報及びチャネル資源割り当て情報を含む場合に、チャネルアクセスが成功であると判定するステップであって、局の識別情報及びチャネル資源割り当て情報が、ＡＰによってデータ伝送のために局に割り当てられたチャネル資源を示すために使用されるステップとを含む。
2016530808.tif 000002
【特許請求の範囲】
【請求項１】
局ＳＴＡによってチャネルのチャネル状態を監視するステップであって、前記チャネルが少なくとも２つのサブチャネルを含むステップと、
前記チャネルがアイドル状態にあることが監視されたときに、送信要求フレームをアクセスポイントＡＰに前記チャネル内の少なくとも１つのサブチャネルを介して送信するステップと、
前記ＡＰによってフィードバックされたアクセス応答フレームが受信され、かつ前記アクセス応答フレームが前記局の識別情報及びチャネル資源割り当て情報を含む場合に、チャネルアクセスが成功であると判定するステップであって、前記局の前記識別情報及び前記チャネル資源割り当て情報が、前記ＡＰによってデータ伝送のために前記局に割り当てられたチャネル資源を示すために使用されるステップと
を含む、チャネルアクセス方法。
【請求項２】
前記チャネルがアイドル状態にあることが監視されたときに、送信要求フレームをアクセスポイントＡＰに前記チャネル内の少なくとも１つのサブチャネルを介して送信する前記ステップが、
前記チャネルがアイドル状態にあることが監視されたときにバックオフ処理を実行するステップと、
前記バックオフ処理が終了した後に前記送信要求フレームを前記ＡＰに前記チャネル内の少なくとも１つのサブチャネルを介して送信するステップと
を含む、請求項１に記載の方法。
【請求項３】
前記チャネルがアイドル状態にあることが監視されたときに、送信要求フレームをアクセスポイントＡＰに前記チャネル内の少なくとも１つのサブチャネルを介して送信する前記ステップの前に、
前記チャネルから前記送信要求フレームを送信するための少なくとも１つのサブチャネルを選択するステップをさらに含む、請求項１又は２に記載の方法。
【請求項４】
前記アクセス応答フレームが前記ＡＰから前記ＳＴＡへ、前記チャネル又は前記ＳＴＡによって選択された前記サブチャネルを介してフィードバックされる、請求項３に記載の方法。
【請求項５】
前記局によって、前記受信したアクセス応答フレームに従ってデータＤＡＴＡフレームを前記ＡＰに送信するステップをさらに含む、請求項１から４のいずれかに記載の方法。
【請求項６】
前記局によって、前記受信したアクセス応答フレームに従ってデータＤＡＴＡフレームを前記ＡＰに送信する前記ステップが、
前記局によって、前記受信したアクセス応答フレームに含まれる前記識別情報に従って前記局の前記チャネル資源割り当て情報を判定するステップと、
前記チャネル資源割り当て情報が、前記チャネルを使用することによってデータ伝送を行うというインジケーション情報を含む場合に、前記局によって前記チャネルで前記ＤＡＴＡフレームを前記アクセスポイントに送信するステップ、又は
前記チャネル資源割り当て情報が、少なくとも１つのサブチャネルを使用することによってデータ伝送を行うというインジケーション情報を含む場合に、前記局によって前記少なくとも１つのサブチャネルで前記ＤＡＴＡフレームを送信するステップ
を含む、請求項５に記載の方法。
【請求項７】
前記ＤＡＴＡフレームが前記ＡＰの受信確認を必要とするものである場合、
前記チャネル又は前記ＳＴＡによって選択されたサブチャネルを介して前記ＡＰによって送信された受信確認フレームを受信するステップであって、前記受信確認フレームが前記局の前記識別情報を含む、又は前記受信確認フレームが前記局の前記識別情報及び他の局の識別情報を含むステップ
をさらに含む、請求項５又は６に記載の方法。
【請求項８】
前記局が前記ＡＰによってフィードバックされたアクセス応答フレームを受信し、かつ前記アクセス応答フレームが前記局の前記識別情報及び前記チャネル資源割り当て情報を含まない場合、又は、前記局が前記ＡＰによってフィードバックされたアクセス応答フレームを受信しない場合に、前記チャネルアクセスが失敗であると判定するステップをさらに含み、
前記チャネルアクセスが失敗である場合に、
前記局によって、前記チャネルのチャネル状態を再監視するステップ
をさらに含む、請求項１から４のいずれかに記載の方法。
【請求項９】
局であって、
チャネルのチャネル状態を監視するように構成された監視ユニットであって、前記チャネルが少なくとも２つのサブチャネルを含む監視ユニットと、
前記チャネルがアイドル状態にあることが監視されたときに、送信要求フレームをアクセスポイントＡＰに前記チャネル内の少なくとも１つのサブチャネルを介して送信するように構成された送信ユニットと、
前記ＡＰによってフィードバックされたアクセス応答フレームが受信され、かつ前記アクセス応答フレームが前記局の識別情報及びチャネル資源割り当て情報を含む場合に、チャネルアクセスが成功であると判定するように構成されたチャネルアクセスユニットであって、前記局の前記識別情報及び前記チャネル資源割り当て情報が、前記ＡＰによってデータ伝送のために前記局に割り当てられたチャネル資源を示すために使用されるアクセスユニットと
を備える局。
【請求項１０】
前記送信ユニットがバックオフモジュール及び送信モジュールを備え、
前記バックオフモジュールが、前記チャネルがアイドル状態にあることが監視されたときに、バックオフ処理を実行するように構成され、
前記送信モジュールが、前記バックオフモジュールによって実行された前記バックオフ処理が終了した後に、前記送信要求フレームを前記ＡＰに前記チャネル内の少なくとも１つのサブチャネルを介して送信するように構成される、請求項９に記載の局。
【請求項１１】
前記送信ユニットがさらに選択モジュールを備え、
前記選択モジュールが、前記チャネルから前記送信要求フレームを送信するための少なくとも１つのサブチャネルを選択するように構成される、請求項９又は１０に記載の局。
【請求項１２】
前記アクセス応答フレームが前記ＡＰによって前記ＳＴＡへ、前記チャネル又は前記ＳＴＡによって選択された前記サブチャネルを介してフィードバックされる、請求項１１に記載の局。
【請求項１３】
データ伝送ユニットをさらに備え、
前記データ伝送ユニットが、前記チャネルアクセスが成功である場合に、前記チャネルアクセスユニットによって受信された前記アクセス応答フレームに従ってデータＤＡＴＡフレームを前記アクセスポイントＡＰに送信するように構成される、請求項９から１２のいずれかに記載の局。
【請求項１４】
前記データ伝送ユニットが判定モジュール及びデータ送信モジュールを備え、
前記判定モジュールが、前記チャネルアクセスユニットによって受信された前記アクセス応答フレームに含まれる前記識別情報に従って前記局の前記チャネル資源割り当て情報を判定するように構成され、
前記データ送信モジュールは、前記判定モジュールによって判定された前記チャネル資源割り当て情報が、前記チャネルを使用することによってデータ伝送を行うというインジケーション情報を含む場合に、前記チャネルで前記ＤＡＴＡフレームを前記アクセスポイントに送信するように構成され、又は、前記判定モジュールによって判定された前記チャネル資源割り当て情報が、少なくとも１つのサブチャネルを使用することによってデータ伝送を行うというインジケーション情報を含む場合に、前記少なくとも１つのサブチャネルで前記ＤＡＴＡフレームを送信するように構成される、請求項１３に記載の局。
【請求項１５】
データ受信確認ユニットをさらに備え、
前記データ受信確認ユニットが、前記チャネル又は前記ＳＴＡによって選択された前記サブチャネルを介して前記ＡＰによって送信された受信確認フレームを受信するように構成され、前記受信確認フレームが前記局の前記識別情報を含む、又は前記受信確認フレームが前記局の前記識別情報及び他の局の識別情報を含む、請求項１３又は１４に記載の局。
【請求項１６】
前記チャネルアクセスユニットがさらに、前記ＡＰによってフィードバックされたアクセス応答フレームが受信され、かつ前記アクセス応答フレームが前記局の前記識別情報及び前記チャネル資源割り当て情報を含まない場合、又は前記ＡＰによってフィードバックされたアクセス応答フレームが受信されない場合に、前記チャネルアクセスが失敗であると判定するように構成され、
前記監視ユニットがさらに、前記チャネルアクセスが失敗である場合に前記チャネルの前記チャネル状態を再監視するように構成される、請求項９から１２のいずれかに記載の局。
【請求項１７】
アクセスポイントと、請求項９から１６のいずれかに記載の少なくとも２つの局とを含む、チャネルアクセスシステム。
【発明の詳細な説明】
【技術分野】
【０００１】
本出願は、２０１３年８月１５日に中国特許庁に出願された「ＣＨＡＮＮＥＬ  ＡＣＣＥＳＳ  ＭＥＴＨＯＤ，ＡＰＰＡＲＡＴＵＳ  ＡＮＤ  ＳＹＳＴＥＭ」という名称の中国出願第２０１３１０３５６７４１．９号の優先権を主張する。同出願の全内容が参照により組み込まれる。
【０００２】
本発明は、無線通信の技術分野に関し、詳細にはチャネルアクセス方法、装置及びシステムに関する。
【背景技術】
【０００３】
ＩＥＥＥ８０２．１１プロトコルは、無線ローカルエリアネットワークのデータ伝送処理についての詳細な規定を提供している。無線ローカルエリアネットワークは一般に、１つのアクセスポイント（ＡＰ、Ａｃｃｅｓｓ  Ｐｏｉｎｔ）及び複数の局（ＳＴＡ、Ｓｔａｔｉｏｎ）を含む。ＳＴＡが、送信される必要のあるデータを有する場合、そのＳＴＡはまず、データをＡＰに送信しなければならず、次いでＡＰがそのデータを他のネットワークノードに転送する。したがって、データを同時に送信する必要のある複数のＳＴＡが無線ローカルエリアネットワーク内にある場合、これらのＳＴＡはチャネル資源を競合することになる。
【０００４】
ＩＥＥＥ  ８０２．１１プロトコルは、すべてのＳＴＡが同じチャネルを使用し、送信要求フレームを送信してチャネル資源を競合することを規制している。したがって、無線ローカルエリアネットワークでは、複数のＳＴＡが送信要求フレームを同時に送信するときには衝突が起こり、ＡＰは、いずれかのＳＴＡによって送信される送信要求フレームを正しく受信することができない可能性がある。１つの解決策は、チャネルを複数のサブチャネルに周波数領域で分割することである。ＳＴＡが各サブチャネルのビジー／アイドル状態を監視して、別々のサブチャネル上でチャネル資源を競合する。しかし、このＳＴＡは各サブチャネルのビジー／アイドル状態を同時に監視する必要があるので、ＳＴＡの監視処理が複雑になり、さらに、複数のＳＴＡがチャネルアクセスをする場合には時間非同期問題が存在し、その結果、激しい隣接帯域干渉が生じることになる。
【０００５】
たとえば、チャネルが２つのサブチャネルに分割され、サブチャネル１がアイドル状態にあることをＳＴＡ１が監視した場合、ＳＴＡ１は送信要求フレームをＡＰに送信する。この場合、ＳＴＡ１が送信要求フレームを送信する一方で、サブチャネル２がアイドル状態にあることをＳＴＡ２が監視し、ＳＴＡ２は送信要求フレームをＡＰに送信する。したがって、ＳＴＡ１及びＳＴＡ２がチャネルアクセスをする場合には時間非同期問題が存在する。ＡＰはまず、ＳＴＡ１によって送信された送信要求フレームを受信し、ＳＴＡ１によって送信された送信要求フレームを処理する過程で、ＡＰはＳＴＡ２によって送信された送信要求フレームを受信する。ＳＴＡ２によって送信された送信要求フレームは、ＳＴＡ１によって送信された送信要求フレームに対し激しい干渉を生成する。つまり、サブチャネル２の信号がサブチャネル１の信号と干渉する。各サブチャネルが特定の帯域幅を周波数領域で占有するので、隣接周波数帯域の信号は互いに激しく干渉する。
【発明の概要】
【０００６】
本発明の実施形態は、チャネルアクセス方法、装置及びシステムを提供し、ＳＴＡの監視処理を簡単にすることによって、複数のＳＴＡがチャネルアクセスをするときに時間同期が満たされ、それによって、隣接周波数帯域の信号が互いに干渉しないようにすることができる。
【０００７】
上記の目的を達成するために、本発明の実施形態では以下の技術的解決策が採用される。
【０００８】
第１の態様では、本発明はチャネルアクセス方法を提供し、
局ＳＴＡによってチャネルのチャネル状態を監視するステップであって、チャネルが少なくとも２つのサブチャネルを含むステップと、
チャネルがアイドル状態にあることが監視されたときに、送信要求フレームをアクセスポイントＡＰにチャネル内の少なくとも１つのサブチャネルを介して送信するステップと、
ＡＰによってフィードバックされたアクセス応答フレームが受信され、かつアクセス応答フレームが局の識別情報及びチャネル資源割り当て情報を含む場合に、チャネルアクセスが成功であると判定するステップであって、局の識別情報及びチャネル資源割り当て情報が、ＡＰによってデータ伝送のために局に割り当てられたチャネル資源を示すために使用されるステップと
を含む。
【０００９】
第１の可能な実施方法では、第１の態様に従って、チャネルがアイドル状態にあることが監視されたときに、送信要求フレームをアクセスポイントＡＰにチャネル内の少なくとも１つのサブチャネルを介して送信するステップは、
チャネルがアイドル状態にあることが監視されたときにバックオフ処理を実行するステップと、
バックオフ処理が終了した後に送信要求フレームをＡＰにチャネル内の少なくとも１つのサブチャネルを介して送信するステップと
を含む。
【００１０】
第２の可能な実施方法では、第１の態様又は第１の可能な実施方法と組み合わせて、チャネルがアイドル状態にあることが監視されたときに、送信要求フレームをアクセスポイントＡＰにチャネル内の少なくとも１つのサブチャネルを介して送信するステップの前に、この方法はさらに、
チャネルから送信要求フレームを送信するための少なくとも１つのサブチャネルを選択するステップ
を含む。
【００１１】
第３の可能な実施方法では、第２の可能な実施方法に従って、アクセス応答フレームがＡＰからＳＴＡへ、チャネル又はＳＴＡによって選択されたサブチャネルを介してフィードバックされる。
【００１２】
第４の可能な実施方法では、第１の態様又は前の３つの可能な実施方法のいずれか１つと組み合わせて、この方法はさらに、局によって、受信したアクセス応答フレームに従ってデータＤＡＴＡフレームをＡＰに送信するステップを含む。
【００１３】
第５の可能な実施方法では、第４の可能な実施方法に従って、局によって、受信したアクセス応答フレームに従ってデータＤＡＴＡフレームをＡＰに送信するステップは、
局によって、受信したアクセス応答フレームに含まれる識別情報に従って局のチャネル資源割り当て情報を判定するステップと、
チャネル資源割り当て情報が、チャネルを使用することによってデータ伝送を行うというインジケーション情報を含む場合に、局によってチャネルでＤＡＴＡフレームをアクセスポイントに送信するステップ、又は
チャネル資源割り当て情報が、少なくとも１つのサブチャネルを使用することによってデータ伝送を行うというインジケーション情報を含む場合に、局によって少なくとも１つのサブチャネルでＤＡＴＡフレームを送信するステップ
を含む。
【００１４】
第６の可能な実施方法では、第１の態様又は前の３つの可能な実施方法のいずれか１つと組み合わせて、ＤＡＴＡフレームがＡＰの受信確認を必要とするものである場合、この方法はさらに、
チャネル又はＳＴＡによって選択されたサブチャネルを介してＡＰによって送信された受信確認フレームを受信するステップであって、受信確認フレームが局の識別情報を含む、又は受信確認フレームが局の識別情報及び他の局の識別情報を含む、ステップ
を含む。
【００１５】
第７の可能な実施方法では、第１の態様又は前の３つの可能な実施方法のいずれか１つと組み合わせて、この方法はさらに、局がＡＰによってフィードバックされたアクセス応答フレームを受信し、かつアクセス応答フレームが局の識別情報及びチャネル資源割り当て情報を含まない場合、又は局がＡＰによってフィードバックされたアクセス応答フレームを受信しない場合に、チャネルアクセスが失敗であると判定するステップをさらに含み、
チャネルアクセスが失敗である場合に、この方法はさらに、
局によって、チャネルのチャネル状態を再監視するステップ
を含む。
【００１６】
第２の態様では、本発明は局を提供し、
チャネルのチャネル状態を監視するように構成された監視ユニットであって、チャネルが少なくとも２つのサブチャネルを含む監視ユニットと、
チャネルがアイドル状態にあることが監視されたときに、送信要求フレームをアクセスポイントＡＰにチャネル内の少なくとも１つのサブチャネルを介して送信するように構成された送信ユニットと、
ＡＰによってフィードバックされたアクセス応答フレームが受信され、かつアクセス応答フレームが局の識別情報及びチャネル資源割り当て情報を含む場合に、チャネルアクセスが成功であると判定するように構成されたチャネルアクセスユニットであって、局の識別情報及びチャネル資源割り当て情報は、ＡＰによってデータ伝送のために局に割り当てられたチャネル資源を示すために使用されるチャネルアクセスユニットと
を含む。
【００１７】
第１の可能な実施方法では、第２の態様に従って、送信ユニットはバックオフモジュール及び送信モジュールを含み、
バックオフモジュールは、チャネルがアイドル状態にあることが監視されたときに、バックオフ処理を実行するように構成され、
送信モジュールは、バックオフモジュールによって実行されたバックオフ処理が終了した後に、送信要求フレームをＡＰにチャネル内の少なくとも１つのサブチャネルを介して送信するように構成される。
【００１８】
第２の可能な実施方法では、第１の態様又は第１の可能な実施方法と組み合わせて、送信ユニットはさらに選択モジュールを含み、
選択モジュールは、チャネルから送信要求フレームを送信するための少なくとも１つのサブチャネルを選択するように構成される。
【００１９】
第３の可能な実施方法では、第２の可能な実施方法に従って、アクセス応答フレームはＡＰによってＳＴＡへ、チャネル又はＳＴＡによって選択されたサブチャネルを介してフィードバックされる。
【００２０】
第４の可能な実施方法では、第２の態様又は前の３つの可能な実施方法のいずれか１つと組み合わせて、この局はデータ伝送ユニットをさらに含み、
データ伝送ユニットは、チャネルアクセスが成功である場合に、チャネルアクセスユニットによって受信されたアクセス応答フレームに従ってデータＤＡＴＡフレームをアクセスポイントＡＰに送信するように構成される。
【００２１】
第５の可能な実施方法では、第４の可能な実施方法に従って、データ伝送ユニットは判定モジュール及びデータ送信モジュールを含み、
判定モジュールは、チャネルアクセスユニットによって受信されたアクセス応答フレームに含まれる識別情報に従って局のチャネル資源割り当て情報を判定するように構成され、
データ送信モジュールは、判定モジュールによって判定されたチャネル資源割り当て情報が、チャネルを使用することによってデータ伝送を行うというインジケーション情報を含む場合に、チャネルでＤＡＴＡフレームをアクセスポイントに送信するように構成され、又は、判定モジュールによって判定されたチャネル資源割り当て情報が、少なくとも１つのサブチャネルを使用することによってデータ伝送を行うというインジケーション情報を含む場合に、少なくとも１つのサブチャネルでＤＡＴＡフレームを送信するように構成される。
【００２２】
第６の可能な実施方法では、第４又は第５の可能な実施方法のいずれか１つと組み合わせて、局はさらにデータ受信確認ユニットを含み、
データ受信確認ユニットは、チャネル又はＳＴＡによって選択されたサブチャネルを介してＡＰによって送信された受信確認フレームを受信するように構成され、受信確認フレームは局の識別情報を含む、又は受信確認フレームは局の識別情報及び他の局の識別情報を含む。
【００２３】
第７の可能な実施方法では、第２の態様又は前の３つの可能な実施方法のいずれか１つと組み合わせて、チャネルアクセスユニットはさらに、ＡＰによってフィードバックされたアクセス応答フレームが受信され、かつアクセス応答フレームが局の識別情報及びチャネル資源割り当て情報を含まない場合、又はＡＰによってフィードバックされたアクセス応答フレームが受信されない場合に、チャネルアクセスが失敗であると判定するように構成され、
監視ユニットはさらに、チャネルアクセスが失敗である場合にチャネルのチャネル状態を再監視するように構成される。
【００２４】
第３の態様では、本発明は、アクセスポイント、及び上述の少なくとも２つの局を含むチャネルアクセスシステムを提供する。
【００２５】
本発明の実施形態は、チャネルアクセス方法、装置及びシステムを提供し、ＳＴＡがチャネルのチャネル状態を監視して、チャネルがアイドル状態にあるときに送信要求フレームをＡＰにチャネル内の少なくとも１つのサブチャネルを通して送信し、ＡＰは、受信した送信要求フレームに従ってアクセス応答フレームをすべて又は一部のＳＴＡに返信し、ＳＴＡが、受信したアクセス応答フレームに従って、チャネルアクセスが成功であるかどうかを知る。さらに、チャネルアクセスが成功である場合、ＳＴＡがＤＡＴＡフレームを、アクセス応答フレームに含まれるチャネル資源割り当て情報に従ってサブチャネル又はチャネルで送信する。このようなチャネルアクセス方法によって、ＳＴＡがチャネル全体のビジー／アイドル状態を監視するだけでよくなり、それによってＳＴＡの監視処理を簡単にする。さらに、チャネル全体がアイドル状態にあるときだけ、これらのＳＴＡは、少なくとも１つのサブチャネルを同時に選択して送信要求フレームをＡＰに送信してもよい。これは、チャネルアクセスの際の時間同期を満たし、さらに、受信した送信要求フレームをＡＰが一様に処理することを可能にし、隣接周波数帯域の信号が互いに干渉しないようにする。
【図面の簡単な説明】
【００２６】
本発明の実施形態における技術的解決策をより明確に説明するために、実施形態又は従来技術の説明に必要な添付の図面についての簡潔な概説を以下に示す。明らかに、添付の図面は以下の説明において本発明の実施形態の一部にすぎず、これらに基づいて当業者には、何らの創造的な努力もなしに他の図面を得ることが可能である。
【００２７】
【図１】本発明の実施形態によって提供されたチャネルアクセス方法の流れ図である。
【図２】本発明の実施形態によって提供された、チャネルアクセス成功後のデータ伝送方法の流れ図である。
【図３】本発明の実施形態によって提供されたチャネル分割の概略図である。
【図４】本発明の実施形態によって提供されたチャネルアクセスシナリオの概略図である。
【図５】本発明の実施形態によって提供されたチャネルアクセス方法の流れ図である。
【図６】本発明の実施形態によって提供された、チャネルアクセス成功後のデータ伝送の方法の概略図ある。
【図７】本発明の実施形態によって提供された、チャネルアクセス成功後のデータ伝送の他の方法の概略図である。
【図８】本発明の実施形態によって提供された局の装置構成の概略図である。
【図９】本発明の実施形態によって提供された他の局の装置構成の概略図である。
【図１０】本発明の実施形態によって提供された他の局の装置構成の概略図である。
【図１１】本発明の実施形態によって提供された他の局の装置構成の概略図である。
【図１２】本発明の実施形態によって提供された他の局の装置構成の概略図である。
【図１３】本発明の実施形態によって提供された他の局の装置構成の概略図である。
【図１４】本発明の実施形態によって提供された局のエンティティ装置構成の概略図である。
【発明を実施するための形態】
【００２８】
本発明の実施形態における技術的解決策についての明確で完全な説明を、本発明の実施形態の添付の図面と併せて以下に示す。明らかに、説明される実施形態は本発明の実施形態の一部にすぎず、全部ではない。本発明の実施形態に基づいて何らの創造的な努力もなしに当業者によって得られる他のすべての実施形態は、本発明の保護範囲内に入る。
【００２９】
本発明は、チャネルアクセス方法を提供する。図１に示されるように、この方法は以下のステップを含む。
【００３０】
ステップ１０１、局ＳＴＡは、チャネルのチャネル状態を監視し、このチャネルは少なくとも２つのサブチャネルを含む。
【００３１】
チャネルのチャネル状態は、チャネルがアイドル状態にあること、又はチャネルがビジー状態にあることを含む。チャネル内に含まれるサブチャネルは互いに直交している。
【００３２】
具体的には、局ＳＴＡによってチャネルのチャネル状態を監視することは、ＳＴＡが、チャネル全体のエネルギー信号の強度が予め設定された閾値に達しているかどうかを監視することを含む。この閾値は、チャネル全体のエネルギー信号の強度が達することのできる臨界値である。つまり、チャネル全体のエネルギー信号の強度が予め設定された閾値以上であることをＳＴＡが監視した場合には、チャネルはビジー状態にあり、チャネル全体のエネルギー信号の強度が予め設定された閾値未満であることをＳＴＡが監視した場合には、チャネルはアイドル状態にある。
【００３３】
例として、チャネルが、サブチャネル１及びサブチャネル２としてそれぞれ示される２つのサブチャネルに分割される場合、これら２つのサブチャネルは互いに直交しており、同時に、エネルギー信号の強度が達することのできる臨界値が−７２ｄＢｍに設定されている。局がチャネルアクセスする必要があるとき、局はまず、チャネルのビジー／アイドル状態を監視し、チャネルのエネルギー信号の強度が−７２ｄＢｍより大きい場合には、チャネルはビジー状態にあり、チャネルのエネルギー信号の強度が−７２ｄＢｍより小さい場合には、チャネルはアイドル状態にある。
【００３４】
ステップ１０２、ＳＴＡは、チャネルがアイドル状態にあることが監視されたとき、送信要求フレームをアクセスポイントＡＰにチャネル内の少なくとも１つのサブチャネルを介して送信する。
【００３５】
任意選択で、チャネルがアイドル状態にあることが監視されたとき、ＳＴＡは送信要求フレーム（ＲＴＳ、Ｒｅｑｕｅｓｔ  ｔｏ  Ｓｅｎｄ）をアクセスポイントＡＰにチャネル内の少なくとも１つのサブチャネルを介して直接送信する。
【００３６】
又は任意選択で、チャネルがアイドル状態にあることが監視されたとき、ＳＴＡはバックオフ処理を実行し、ＳＴＡは送信要求フレームをアクセスポイントＡＰに、バックオフ処理が終了した後にチャネル内の少なくとも１つのサブチャネルを通して送信する。
【００３７】
さらに、チャネルがアイドル状態にあることが監視されたとき、局は、送信要求フレームをＡＰにチャネル内の少なくとも１つのサブチャネルを介して送信する前に、局は、送信要求フレームを送信するための少なくとも１つのサブチャネルをチャネルから選択する。
【００３８】
任意選択で、チャネルがアイドル状態にあることが監視されたとき、局はまず、チャネルから少なくとも１つのサブチャネルを選択し、次に、選択されたサブチャネルに対しバックオフ処理を実行する。バックオフ処理が終了した後、ＳＴＡは送信要求フレームをＡＰにチャネル内の少なくとも１つのサブチャネルを介して送信する。
【００３９】
又は任意選択で、チャネルがアイドル状態にあることが監視されたとき、ＳＴＡは、チャネル全体を基礎としてチャネル全体でバックオフ処理を実行し、バックオフ処理が終了した後、ＳＴＡはまず、チャネルから少なくとも１つのサブチャネルを選択し、次に、送信要求フレームをＡＰにチャネル内の選択された少なくとも１つのサブチャネルを介して送信する。
【００４０】
もちろん局は、送信要求フレームを送信するための少なくとも１つのサブチャネルをチャネルからランダムに選択してもよく、その選択の方法はこれに限定されない。
【００４１】
例として、無線ローカルエリアネットワーク内に２つの局があり、チャネルが２つのサブチャネルに分割されると仮定する。
【００４２】
例として、チャネルがアイドル状態にあった持続時間が分散協調機能フレーム間間隔（ＤＩＦＳ、ＤＣＦ  Ｉｎｔｅｒｆｒａｍｅ  Ｓｐａｃｅ）期間に達したことをＳＴＡが監視したときに、ＳＴＡはチャネル全体のビジー／アイドル状態を、バックオフタイマを開始するための基準とみなし、バックオフ処理を実行するためにバックオフ時間２Ｔを選択してもよい。
【００４３】
分散協調機能（ＤＣＦ、ｄｉｓｔｒｉｂｕｔｉｏｎ  ｃｏｏｒｄｉｎａｔｉｏｎ  ｆｕｎｃｔｉｏｎ）は分散媒体アクセス制御機構であり、その主な役目は、同じ無線チャネルを共有する無線ノードによるチャネルへのアクセスを制御することである。ＤＣＦプロトコルでは、データを送信し始める前に、局はチャネルがアイドル状態にあるかどうかを監視する必要がある。チャネルがすでにアイドルになっている場合、局はなお、ＤＩＦＳ期間の間待つ必要があり、その後にデータの送信を開始し、ＤＩＦＳ期間の間中のいずれかの時点でチャネルがビジーであることが監視された場合には、局はデータの送信を延期しなければならない。
【００４４】
ＤＩＦＳ期間が経過し、そのＤＩＦＳ期間中にチャネルがアイドルであった場合、局はバックオフ処理を開始し、局はバックオフアルゴリズムに従ってバックオフ時間を選択し、バックオフタイマを設定する。ＩＥＥＥ８０２．１１に採用されている２値ランダムバックオフアルゴリズムの乱数の生成規則は、データを送信する前に、ノードがまず、チャネルがアイドルであるかどうかを監視し、チャネルがアイドルである場合、ノードは、チャネルがＤＩＦＳ期間に連続してアイドルであったことをノードが監視した後にデータを送信してもよく、チャネルがビジーである場合には、ノードは、現在のデータ伝送が終了した後に、バックオフタイマの初期値として機能するランダムバックオフ時間を生成するというものである。このバックオフ時間は、０〜コンテンションウィンドウ（ＣＷ、Ｃｏｎｔｅｎｔｉｏｎ  Ｗｉｎｄｏｗ）から選択された乱数であり、単位としてタイムスロットを使用する。その後、チャネルがタイムスロットでアイドルになると、バックオフタイマは１を引く。その間に局がデータを送信した場合、残りの局のタイマはフリーズされ、ＤＩＦＳ期間にチャネルが再びアイドルになった場合には、バックオフタイマはフリーズ解除され、タイマの値が０になるまで数をカウントダウンし続け、局はデータを送信し始める。コンテンションウィンドウのサイズはＣＷｍｉｎ（Ｃｏｎｔｅｎｔｉｏｎ  Ｗｉｎｄｏｗ  ｍｉｎｉｍｕｍ）から始まり、１つの衝突が起きるたびに、コンテンションウィンドウはＣＷｍａｘ（Ｃｏｎｔｅｎｔｉｏｎ  Ｗｉｎｄｏｗ  ｍａｘｉｍｕｍ）に達するまで倍だけ増加する。コンテンションウィンドウが大きいほど同じランダムバックオフ時間を選択する可能性が小さくなり、また衝突を解決するためのバックオフタイマ機構の能力が大きくなる。しかし、コンテンションウィンドウが大きいほどバックオフ時間が長くなり、その結果として不必要な遅延が生じ得る。したがって、データ伝送が成功であるとき、又は再伝送が連続して複数回失敗であるときには、ＣＷのサイズがＣＷｍｉｎにリセットされる。
【００４５】
フレーム間間隔ＤＩＦＳ及びバックオフ時間２Ｔは、既存のプロトコルＩＥＥＥ８０２．１１規格における表現であり、フレーム間間隔ＤＩＦＳは３４μｓであり、Ｔはバックオフ時間の最小単位で９μｓである。
【００４６】
例として、無線ローカルエリアネットワーク内に２つの局があると仮定する。これらの局はそれぞれＳＴＡ１及びＳＴＡ２と呼ばれる。２つの局がチャネルアクセスする必要があるとき、２つの局はチャネルのビジー／アイドル状態を監視する。チャネルがアイドル状態にあること、及びチャネルがアイドル状態にあった持続時間がＤＩＦＳ期間に達したことが監視された場合、ＳＴＡは、チャネル状態に従ってバックオフタイマを開始することを選択し、ＳＴＡ１及びＳＴＡ２のバックオフ時間は２Ｔになる。
【００４７】
バックオフ時間が２Ｔに達した後、ＳＴＡ１及びＳＴＡ２は、チャネル内の少なくとも１つのサブチャネルをランダムに選択してＲＴＳ１フレーム及びＲＴＳ２フレームをＡＰに送信する。
【００４８】
任意選択で、ＳＴＡ１はサブチャネル１を選択してＲＴＳ１フレームをＡＰに送信し、ＳＴＡ２はサブチャネル２を選択してＲＴＳ２フレームをＡＰに送信する。
【００４９】
又は任意選択で、ＳＴＡ１はサブチャネル２を選択してＲＴＳ１フレームをＡＰに送信し、ＳＴＡ２はサブチャネル１を選択してＲＴＳ２フレームをＡＰに送信する。
【００５０】
又は任意選択で、ＳＴＡ１はサブチャネル１を選択してＲＴＳ１フレームをＡＰに送信し、ＳＴＡ２はサブチャネル１を選択してＲＴＳ２フレームをＡＰに送信する。
【００５１】
又は任意選択で、ＳＴＡ１はサブチャネル２を選択してＲＴＳ１フレームをＡＰに送信し、ＳＴＡ２はサブチャネル２を選択してＲＴＳ２フレームをＡＰに送信する。
【００５２】
それに応じてＡＰは、ＳＴＡによって送信された送信要求フレームを受信する。
【００５３】
具体的にはＡＰは、ＳＴＡによって送信された送信要求フレームを正常に受信できることもあれば、ＳＴＡによって送信された送信要求フレームを正常に受信できないこともある。すなわち、ＳＴＡが送信要求フレームをチャネル内の少なくとも１つのサブチャネルを介して送信したときに、他の局によって送信された送信要求フレームがＳＴＡによって選択されたサブチャネル上にない場合には、ＡＰは、ＳＴＡによって送信された送信要求フレームを正常に受信することができ、他の局によって送信された送信要求フレームが、ＳＴＡが送信要求フレームを送信するサブチャネル上にある場合には、ＳＴＡ及び他の局によって送信された各送信要求フレームは互いに衝突し、結果としてＡＰは、局によって送信された送信要求フレームを正常に受信することができない可能性がある。
【００５４】
例として、ＳＴＡ１がＲＴＳ１フレームをＡＰにサブチャネル１を介して送信し、ＳＴＡ２がＲＴＳ２フレームをＡＰにサブチャネル２を介して送信する場合、又はＳＴＡ１がＲＴＳ１フレームをＡＰにサブチャネル２を介して送信し、ＳＴＡ２がＲＴＳ２フレームをＡＰにサブチャネル１を介して送信する場合、ＳＴＡ１及びＳＴＡ２がそれぞれ送信要求フレームをサブチャネル１及びサブチャネル２を介して送信し、またサブチャネル１とサブチャネル２は、ステップＳ１０１に従って互いに直交することが分かっているので、ＡＰは、ＳＴＡ１及びＳＴＡ２によって送信されたＲＴＳフレームを正常に受信することができる。ＳＴＡ１がＡＰに近く、ＳＴＡ２がＡＰから遠い場合、チャネルフェージングなどの無線チャネルの特性により、ＡＰは、ＳＴＡ１によって送信されたＲＴＳ１フレームは正常に受信できるが、ＳＴＡ２によって送信されたＲＴＳ２フレームは正常に受信できない可能性がある。
【００５５】
ＳＴＡ１がＲＴＳ１フレームをＡＰにサブチャネル１を介して送信し、ＳＴＡ２がＲＴＳ２フレームをＡＰにサブチャネル１を介して送信する場合、又はＳＴＡ１がＲＴＳ１フレームをＡＰにサブチャネル２を介して送信し、ＳＴＡ２がＲＴＳ２フレームをＡＰにサブチャネル２を介して送信する場合、ＳＴＡ１とＳＴＡ２の両方がＲＴＳ１フレーム及びＲＴＳ２フレームをサブチャネル１又はサブチャネル２を介して送信するので、ＲＴＳ１フレームとＲＴＳ２フレームは互いに衝突する可能性があり、またＡＰは、ＳＴＡ１及びＳＴＡ２から送信されたＲＴＳ１フレーム又はＲＴＳ２フレームを正常に受信できない可能性がある。ＳＴＡ１によってＲＴＳ１フレームを送信するための送信電力が、ＳＴＡ２によってＲＴＳ２フレームを送信するための送信電力よりもずっと大きい場合、ＡＰは、ＳＴＡ１から送信されたＲＴＳ１フレームは正常に受信できるが、ＳＴＡ２から送信されたＲＴＳ２フレームは正常に受信できない可能性がある。
【００５６】
ステップ１０３、ＡＰによってフィードバックされたアクセス応答フレームが受信され、アクセス応答フレームが局の識別情報及びチャネル資源割り当て情報を含む場合に、チャネルアクセスが成功であると判定され、局の識別情報及びチャネル資源割り当て情報は、ＡＰによってデータ伝送のために局に割り当てられたチャネル資源を示すために使用される。
【００５７】
具体的には、ＳＴＡがＡＰによってフィードバックされたアクセス応答フレームを受信し、アクセス応答フレームが局の識別情報及び局のチャネル資源割り当て情報を含むとき、チャネルアクセスは成功している。
【００５８】
アクセス応答フレームは、ＡＰからＳＴＡへ、チャネル又はＳＴＡによって選択されたサブチャネルを通してフィードバックされる。
【００５９】
アクセス応答フレームは、局の識別情報及びチャネル資源割り当て情報を含み、チャネルアクセスに成功している他の局の識別情報及びチャネル資源割り当て情報は含まない。又はアクセス応答フレームは、局の識別情報及びチャネル資源割り当て情報を含み、またチャネルアクセスに成功している他の局の識別情報及びチャネル資源割り当て情報も含む。
【００６０】
好ましくは、ＡＰによって返信されたアクセス応答フレームは、局の識別情報及びチャネル資源情報を含み、またチャネルアクセスに成功している他の局の識別情報及びチャネル資源情報を含み、このアクセス応答フレームは、チャネルを介して局へフィードバックされてもよい。
【００６１】
任意選択で、ＡＰによって返信されたアクセス応答フレームは、局の識別情報及びチャネル資源情報を含み、チャネルアクセスに成功している他の局の識別情報又はチャネル資源情報は含まず、このアクセス応答フレームは、チャネルを介して局へフィードバックされてもよい。
【００６２】
又は任意選択で、ＡＰによって返信されたアクセス応答フレームは、局の識別情報及びチャネル資源情報を含み、またチャネルアクセスに成功している他の局の識別情報及びチャネル資源情報を含み、このアクセス応答フレームは、局によって選択されたサブチャネルを介して局へフィードバックされてもよい。
【００６３】
又は任意選択で、ＡＰによって返信されたアクセス応答フレームは、局の識別情報及びチャネル資源情報を含み、チャネルアクセスに成功している他の局の識別情報及びチャネル資源情報は含まず、このアクセス応答フレームは、局によって選択されたサブチャネルを介して局へフィードバックされてもよい。
【００６４】
例として、ＡＰがＳＴＡ１によって送信されたＲＴＳ１フレーム、及びＳＴＡ２によって送信されたＲＴＳ２フレームを正常に受信した場合、ＡＰは、ＳＴＡ１及びＳＴＡ２のチャネルアクセスが成功であることを示すために、アクセス応答フレームをＳＴＡ１及びＳＴＡ２に返信する必要がある。
【００６５】
ＡＰによって返信されたアクセス応答フレームは、ＡＰによってＳＴＡ１及びＳＴＡ２にランダムに割り当てられたチャネル資源についての情報を含む。具体的には、ＡＰは、サブチャネル１をＳＴＡ１に割り当て、サブチャネル２をＳＴＡ２に割り当てもよく、又はサブチャネル２をＳＴＡ１に割り当て、サブチャネル１をＳＴＡ２に割り当てもよく、又はチャネル全体をＳＴＡ１に割り当て、かつチャネル全体をＳＴＡ２に割り当てもよい。
【００６６】
好ましくは、ＡＰはグループ送信可（Ｇ−ＣＴＳ、Ｇｒｏｕｐ  Ｃｌｅａｒ  ｔｏ  Ｓｅｎｄ）フレームを返信し、このフレームをＳＴＡ１及びＳＴＡ２にチャネル全体を介してフィードバックしてもよい。Ｇ−ＣＴＳフレームは、ＳＴＡ１及びＳＴＡ２の識別情報を含み、またＡＰによってＳＴＡ１及びＳＴＡ２にランダムに割り当てられたサブチャネルについての情報を含む。
【００６７】
任意選択で、ＡＰは送信可（ＣＴＳ、Ｃｌｅａｒ  ｔｏ  Ｓｅｎｄ）フレームをＳＴＡ１及びＳＴＡ２それぞれにチャネル全体を介して返信してもよい。すなわちＡＰは、短フレーム間間隔（ＳＩＦＳ、Ｓｈｏｒｔ  Ｉｎｔｅｒｆｒａｍｅ  ｓｐａｃｅ）期間待った後に、ＣＴＳ１フレームをＳＴＡ１にチャネル全体を介して返信し、ＣＴＳ２フレームをＳＴＡ２にチャネル全体を介して、返信してもよい。ＣＴＳ１フレームは、対応する局ＳＴＡ１の識別情報、及びＡＰによってＳＴＡ１に割り当てられたチャネル資源についての情報だけを含み、ＣＴＳ２フレームは、対応する局ＳＴＡ２の識別情報、及びＡＰによってＳＴＡ２に割り当てられたチャネル資源についての情報だけを含む。
【００６８】
又は任意選択でＡＰは、Ｇ−ＣＴＳフレームをＳＴＡ１及びＳＴＡ２にサブチャネルを介して返信してもよい。すなわちＡＰは、Ｇ−ＣＴＳフレームをＳＴＡ１に、ＳＴＡ１によって選択されたサブチャネル１を介して返信し、Ｇ−ＣＴＳフレームをＳＴＡ２に、ＳＴＡ２によって選択されたサブチャネル２を介して返信する。
【００６９】
又は任意選択でＡＰは、ＣＴＳ１フレーム及びＣＴＳ２フレームをＳＴＡ１及びＳＴＡ２にサブチャネルを通して返信してもよい。すなわちＡＰは、ＣＴＳ１フレームをＳＴＡ１に、ＳＴＡ１によって選択されたサブチャネル１を通して返信し、ＣＴＳ２フレームをＳＴＡ２に、ＳＴＡ２によって選択されたサブチャネル２を通して返信する。
【００７０】
局のチャネルアクセスが成功であることがステップ１０１〜１０３から分かる。局がチャネルアクセスに成功し、かつ伝送されるべきデータを有している場合には、図２に示されるように、ステップ１０４がさらに実行される。
【００７１】
ステップ１０４、局は、受信したアクセス応答フレームに従ってデータＤＡＴＡフレームをＡＰに送信する。
【００７２】
局によって、受信したアクセス応答フレームに従ってデータＤＡＴＡフレームをアクセスポイントに送信することは、
【００７３】
局によって、受信したアクセス応答フレームに含まれる識別情報に従って局のチャネル資源割り当て情報を判定すること、及び
【００７４】
チャネル資源割り当て情報が伝送のためにチャネルを使用することについてのインジケーション情報が含む場合、局によってＤＡＴＡフレームをアクセスポイントにチャネルで送信すること、又は
【００７５】
チャネル資源割り当て情報が少なくとも１つのサブチャネルを使用することによって伝送することについてのインジケーション情報を含む場合、局によってＤＡＴＡフレームを少なくとも１つのサブチャネルで送信すること
を含む。
【００７６】
例として、ステップ１０１〜１０３の後で、ＳＴＡ１及びＳＴＡ２がチャネルアクセスに成功し、かつデータを送信する必要がある場合、ＳＴＡ１及びＳＴＡ２は、ＡＰによって送信されたＧ−ＣＴＳフレームに含まれるチャネル資源割り当て情報に従ってデータフレームをＡＰに送信する。この場合ＡＰは、サブチャネル１をＳＴＡ１に割り当て、サブチャネル２をＳＴＡ２に割り当て、次にＳＴＡ１及びＳＴＡ２が、チャネルがアイドルであるＳＩＦＳ期間待った後に、ＳＴＡ１はＤＡＴＡ１フレームをＡＰにサブチャネル１で送信し、ＳＴＡ２はＤＡＴＡ２フレームをＡＰにサブチャネル２で送信する。
【００７７】
また、例として、ステップ１０１〜１０３の後で、ＳＴＡ１及びＳＴＡ２がチャネルアクセスに成功し、かつデータを送信する必要がある場合、ＳＴＡ１及びＳＴＡ２は、ＡＰによって送信されたＧ−ＣＴＳフレームに含まれるチャネル資源割り当て情報に従ってデータフレームをＡＰに送信する。この場合ＡＰは、チャネル全体をＳＴＡ１に割り当て、またチャネル全体をＳＴＡ２に割り当て、次にＳＴＡ１は、チャネルがアイドルであるＳＩＦＳの間待った後に、ＤＡＴＡ１フレームをＡＰにチャネル全体で送信し、ＳＴＡ２は、チャネルがアイドルであるＳＩＦＳの間さらに待った後に、ＤＡＴＡ２フレームをＡＰにチャネル全体で送信する。
【００７８】
さらに、ＳＴＡによって送信されたデータがＡＰの受信確認を必要としないものである場合、この方法は、ステップ１０４が完了しているならば終了し、ＳＴＡによって送信されたデータがＡＰの受信確認を必要とするものである場合には、ステップ１０４が実行された後に、ステップ１０５がさらに実行される。
【００７９】
ステップ１０５、ＳＴＡによって送信されたデータがＡＰの受信確認を必要とするものである場合、ＡＰは受信確認フレームを局へ返信し、それに応じてＳＴＡは、ＡＰによって送信された受信確認フレームを、チャネル又はＳＴＡによって選択されたサブチャネルを介して受信する。この場合、受信確認フレームは局の識別情報を含む、又は受信確認フレームは局の識別情報及び他の局の識別情報を含む。
【００８０】
好ましくは、ＡＰは、チャネル全体を通してデータの送信が成功であるＳＴＡのグループ受信確認（Ｇ−ＡＣＫ、Ｇｒｏｕｐ  Ａｃｋｎｏｗｌｅｄｇｅｍｅｎｔ）フレームを局に送信してもよい。このＧ−ＡＣＫフレームは、データの送信が成功である複数のＳＴＡの受信確認メッセージを集約することによってＡＰによって形成される。すなわち、Ｇ−ＡＣＫフレームは、局の識別情報及び他の局の識別情報を含む。
【００８１】
任意選択で、ＡＰはＡＣＫ（Ａｃｋｎｏｗｌｅｄｇｅｍｅｎｔ）フレームを１つずつ、ＳＴＡによって選択されたサブチャネルを通してデータの送信が成功であるＳＴＡに返信してもよい。
【００８２】
又は任意選択で、ＡＰはＡＣＫフレームを、チャネル全体を通して１つずつデータの送信が成功であるＳＴＡに返信してもよい。
【００８３】
又は任意選択で、ＡＰはＧ−ＡＣＫフレームを、ＳＴＡによって選択されたサブチャネルを通してデータの送信が成功であるＳＴＡに返信してもよい。
【００８４】
例として、ステップ１０４の後でＡＰが、ＳＴＡ１によってサブチャネル１で送信されたＤＡＴＡ１フレームと、ＳＴＡ２によってサブチャネル２で送信されたＤＡＴＡ２フレームとを受信する場合に、かつＡＰが受信したデータを受信確認する必要がある場合に、ＡＰは受信したデータを様々な方法で受信確認してもよい。
【００８５】
好ましくは、ＡＰは、ＳＴＡによって送信されたＤＡＴＡフレームを受信し、ＳＩＦＳ期間待った後に、Ｇ−ＡＣＫフレームをＳＴＡ１及びＳＴＡ２にチャネル全体を通して返信してもよい。このＧ−ＡＣＫフレームは、ＳＴＡ１及びＳＴＡ２の受信確認識別情報を含む。
【００８６】
任意選択で、ＡＰがＳＴＡによって送信されたＤＡＴＡフレームを受信し、ＳＩＦＳ期間待った後に、ＡＰはＡＣＫ１フレームをＳＴＡ１に、ＳＴＡ１によって選択されたサブチャネル１を通して返信し、またＡＣＫ２フレームをＳＴＡ２に、ＳＴＡ２によって選択されたサブチャネル２を通して返信してもよい。この場合、ＡＣＫ１はＳＴＡ１の受信確認識別情報だけを含み、ＡＣＫ２はＳＴＡ２の受信確認識別情報だけを含む。
【００８７】
又は任意選択で、ＡＰは、ＳＴＡによって送信されたＤＡＴＡフレームを受信し、ＡＣＫ１フレームをＳＴＡ１へ、またＡＣＫ２フレームをＳＴＡ２へ１つずつ、チャネル全体を通して返信してもよい。すなわち、ＡＰは、ＡＣＫ１フレームをＳＴＡ１にチャネル全体を通してＳＩＦＳ期間待った後に送信し、またＡＣＫ２フレームをＳＴＡ２にチャネル全体を通してＳＩＦＳ期間さらに待った後に送信する。
【００８８】
又は任意選択で、ＡＰは、ＳＴＡによって送信されたＤＡＴＡフレームを受信し、Ｇ−ＡＣＫフレームをＳＴＡ１に、ＳＴＡ１によって選択されたサブチャネル１を通して返信し、またＧ−ＡＣＫフレームをＳＴＡ２に、ＳＴＡ２によって選択されたサブチャネル２を通して返信してもよい。
【００８９】
チャネルアクセスが失敗である場合、ステップ１０６が実行される。
【００９０】
ステップ１０６、チャネルアクセスが失敗である場合、局はチャネルのチャネル状態を再監視する。
【００９１】
局のアクセス失敗は、局がＡＰによってフィードバックされたアクセス応答フレームを受信し、アクセス応答フレームが局の識別情報及びチャネル資源割り当て情報を含まない場合、又は局がＡＰによってフィードバックされたアクセス応答フレームを受信しない場合に、チャネルアクセスが失敗することを含む。
【００９２】
本発明の実施形態はチャネルアクセス方法、装置及びシステムを提供し、ＳＴＡがチャネルのビジー／アイドル状態を監視して、チャネルがアイドル状態にあるときに、送信要求フレームをＡＰにチャネル内の少なくとも１つのサブチャネルを介して送信し、ＡＰは、受信した送信要求フレームに従ってアクセス応答フレームをＳＴＡのすべて又は一部に返信し、ＳＴＡが、受信したアクセス応答フレームに従って、チャネルアクセスが成功であるかどうかを知る。さらに、チャネルアクセスが成功である場合には、ＳＴＡがＤＡＴＡフレームを、アクセス応答フレーム内に含まれるチャネル資源割り当て情報に従ってサブチャネル又はチャネルで送信する。このようなチャネルアクセス方法によって、ＳＴＡはチャネル全体のビジー／アイドル状態を監視するだけでよくなり、それによってＳＴＡの監視処理を簡単にする。さらに、チャネル全体がアイドル状態にあるときだけ、これらのＳＴＡは、少なくとも１つのサブチャネルを同時に選択して送信要求フレームをＡＰに送信してもよい。これは、チャネルアクセスの際の時間同期を満たし、さらに、受信した送信要求フレームをＡＰが一様に処理することを可能にし、隣接周波数帯域の信号が互いに干渉しないようにする。
【００９３】
本発明ではさらに、チャネルアクセス及びデータ伝送の上記の方法を詳細に説明するために、以下の特定の実施形態を提供する。一例として、図３に示されるＯＦＤＭＡ方式では、合計で１６個の、１〜１６の番号が付けられている利用可能なサブキャリアがチャネル内にあると仮定する。これら１６個のサブキャリアは４つのサブチャネルに分割され、サブキャリア１〜サブキャリア４がサブチャネル１を形成し、サブキャリア５〜サブキャリア８がサブチャネル２を形成し、サブキャリア９〜サブキャリア１２がサブチャネル３を形成し、サブキャリア１３〜サブキャリア１６がサブチャネル４を形成する。その一方で、ＤＡＴＡフレームを１つのＡＰに送信する必要がある８つのＳＴＡがあり、図４に示されるように、８つのＳＴＡはそれぞれ、ＳＴＡ１、ＳＴＡ２、ＳＴＡ３、ＳＴＡ４、ＳＴＡ５、ＳＴＡ６、ＳＴＡ７及びＳＴＡ８と印が付けられている。図４の８つのＳＴＡは、図３に示されるチャネルを通してチャネルアクセス及びデータ伝送をする必要がある。
【００９４】
ＤＡＴＡフレームをＡＰに送信する前に、ＳＴＡはまずチャネルアクセス処理をする必要があり、上述のシナリオに基づいて、図５に示されるようにチャネルアクセス方法に関する特定の実施形態が以下に提供される。
【００９５】
実施形態１
ステップ５０１、８つのＳＴＡはチャネルのビジー／アイドル状態を監視する。チャネルがアイドル状態にあった持続時間がＤＩＦＳ期間に達した場合にはステップ５０２に進み、その他の場合にはステップ５０１にとどまる。
【００９６】
具体的には、チャネルは４つのサブチャネルに分割され、これら４つのサブチャネルは互いに直交する。チャネル内のエネルギー信号の強度が予め設定された閾値以上である場合、チャネルはビジー状態にあると判定され、チャネル内のエネルギー信号の強度が予め設定された閾値未満である場合、チャネルはアイドル状態にあると判定される。
【００９７】
ステップ５０２、ＳＴＡ１、ＳＴＡ２、ＳＴＡ３及びＳＴＡ４によって選択されたバックオフ時間がすべて２Ｔであり、ＳＴＡ５、ＳＴＡ６、ＳＴＡ７及びＳＴＡ８によって選択されたバックオフ時間がすべて２Ｔより大きいと仮定され、次にバックオフ処理が実行される。
【００９８】
ステップ５０３、２Ｔ期間の後、バックオフ時間を２Ｔになるよう選択するＳＴＡは、サブチャネルをランダムに選択してＲＴＳフレームをＡＰに送信し、次にステップ５０４へ進み、２Ｔより大きいバックオフ時間を選択するＳＴＡはステップ５０１へ進む。
【００９９】
具体的には、ＳＴＡ１、ＳＴＡ２、ＳＴＡ３及びＳＴＡ４によって送信されたＲＴＳフレームはそれぞれ、ＲＴＳ１フレーム、ＲＴＳ２フレーム、ＲＴＳ３フレーム及びＲＴＳ４フレームと印が付けられる。図５に示されるように、ＳＴＡ１はサブチャネル１をランダムに選択してＲＴＳ１フレームをＡＰに送信し、ＳＴＡ２はサブチャネル２をランダムに選択してＲＴＳ２フレームをＡＰに送信し、ＳＴＡ３はサブチャネル３をランダムに選択してＲＴＳ３フレームをＡＰに送信し、ＳＴＡ４はサブチャネル３をランダムに選択してＲＴＳ４フレームをＡＰに送信する。
【０１００】
ステップ５０４、ＡＰは、ＳＴＡ１及びＳＴＡ２によって送信されたＲＴＳ１フレーム及びＲＴＳ２フレームを正常に受信する。ＳＩＦＳ期間待った後に、ＡＰはＧ−ＣＴＳフレームをチャネルを介して送信する。このＧ−ＣＴＳフレームは、チャネル資源の割り当て情報を含み、それに応じてＳＴＡ１、ＳＴＡ２、ＳＴＡ３及びＳＴＡ４は、ＡＰによって送信されたＧ−ＣＴＳフレームを受信する。
【０１０１】
具体的には、ＳＴＡ１及びＳＴＡ２は、ＲＴＳ１フレーム及びＲＴＳ２フレームをそれぞれサブチャネル１及びサブチャネル２を介して送信する。すなわち、１つのＳＴＡだけがＲＴＳフレームをサブチャネル１及びサブチャネル２のそれぞれで送信し、ＲＴＳフレームを送信する他のＳＴＡはなく、したがって衝突が生成されず、ＡＰは、ＳＴＡ１及びＳＴＡ２によって送信されたＲＴＳ１フレーム及びＲＴＳ２フレームを正常に受信することができる。
【０１０２】
ＳＴＡ３及びＳＴＡ４は、同じサブチャネル３を選択してＲＴＳ３フレーム及びＲＴＳ４フレームを送信するので、ＲＴＳ３フレームとＲＴＳ４フレームは互いに衝突し、結果としてＡＰは、ＲＴＳ３フレーム及びＲＴＳ４フレームを正常に受信できなくなる。
【０１０３】
さらに、ＳＩＦＳ期間待った後に、ＡＰは、受信したＲＴＳフレームに従ってＧ−ＣＴＳフレームをチャネル全体を通して送信し、それに応じてＳＴＡ１、ＳＴＡ２、ＳＴＡ３及びＳＴＡ４は、図５に示されるように、ＡＰによって送信されたＧ−ＣＴＳフレームを受信する。Ｇ−ＣＳＴフレームは、ＡＰによってＳＴＡ１及びＳＴＡ２に割り当てられたチャネル資源についての情報を含み、ＡＰによってＳＴＡ３及びＳＴＡ４に割り当てられたチャネル資源についての情報は含まない。ＡＰは、サブチャネル１及びサブチャネル２をＳＴＡ１にランダムに割り当て、またサブチャネル３及びサブチャネル４をＳＴＡ２にランダムに割り当て、ＡＰは、サブチャネルをＳＴＡ３及びＳＴＡ４に割り当てる必要はない。したがって、Ｇ−ＣＴＳフレームに含まれる情報に従って、局は、ＳＴＡ１及びＳＴＡ２のチャネルアクセスは成功し、ＳＴＡ３及びＳＴＡ４のチャネルアクセスは失敗であることを知る。
【０１０４】
本発明の実施形態はチャネルアクセス方法を提供し、ＳＴＡがチャネルのビジー／アイドル状態を監視して、チャネルがアイドル状態にあるときに、送信要求フレームをＡＰにチャネル内のサブチャネルを介して送信し、ＡＰは、受信した送信要求フレームに従ってアクセス応答フレームをすべて又は一部のＳＴＡに返信し、ＳＴＡは、受信したアクセス応答フレームに従って、チャネルアクセスが成功であるかどうかを知る。このようなチャネルアクセス方法によって、ＳＴＡはチャネル全体のビジー／アイドル状態を監視するだけでよくなり、それによってＳＴＡの監視処理を簡単にする。さらに、チャネル全体がアイドル状態にあるときだけ、これらのＳＴＡは、少なくとも１つのサブチャネルを同時に選択して送信要求フレームをＡＰに送信することができる。これは、チャネルアクセスの際の時間同期を満たし、さらに、受信した送信要求フレームをＡＰが一様に処理することを可能にし、隣接周波数帯域の信号が互いに干渉しないようにする。
【０１０５】
ＳＴＡ１及びＳＴＡ２がチャネルアクセスに成功し、次に、ＳＴＡ１及びＳＴＡ２がデータ伝送をする必要がある場合に、ＳＴＡ１及びＳＴＡ２は、受信したアクセス応答フレームに従ってＤＡＴＡフレームをＡＰに送信することが、実施形態１から分かる。２つの特定の実施形態が、アクセス応答フレームに含まれデータ伝送のためにＡＰによってＳＴＡ１及びＳＴＡ２に割り当てられる、別々のチャネル資源について提供される。
【０１０６】
実施形態２
本実施形態は、実施形態１のステップ５０１〜５０４を含む、チャネルアクセスが成功である場合のデータ伝送の方法を提供する。ステップ５０１〜５０４は、本実施形態ではステップ６０１〜６０４であり、ここでは重複して繰り返さない。図６に示されるように、本実施形態はさらに以下のステップを含む。
【０１０７】
ステップ６０５、ＳＴＡ１及びＳＴＡ２が受信したＧ−ＣＴＳフレームに従って、チャネルがアイドルであるＳＩＦＳ期間待った後に、ＳＴＡ１はＤＡＴＡ１フレームをＡＰにサブチャネル１及びサブチャネル２で送信し、ＳＴＡ２はＤＡＴＡ２フレームをＡＰにサブチャネル３及びサブチャネル４で送信する。それに応じてＡＰは、ＳＴＡ１によって送信されたＤＡＴＡ１フレーム、及びＳＴＡ２によって送信されたＤＡＴＡ２フレームを受信する。
【０１０８】
具体的には、ＳＴＡ１、ＳＴＡ２、ＳＴＡ３及びＳＴＡ４は、チャネルを介してＡＰによって送信されたＧ−ＣＴＳフレームを受信する。Ｇ−ＣＴＳフレームは、ＳＴＡ１及びＳＴＡ２のチャネル資源割り当て情報だけを含み、ＳＴＡ３及びＳＴＡ４のチャネル資源割り当て情報は含まないので、図６に示されるように、ＳＴＡ１及びＳＴＡ２が、チャネルがアイドルであるＳＩＦＳ期間待った後に、ＳＴＡ１はＤＡＴＡ１フレームをＡＰにサブチャネル１及びサブチャネル２で送信し、ＳＴＡ２はＤＡＴＡ２フレームをＡＰにサブチャネル３及びサブチャネル４で送信する。
【０１０９】
ＳＴＡ１及びＳＴＡ２によって送信されたデータ（たとえば、ブロードキャストフレーム、マルチキャストフレーム）がＡＰの受信確認を必要としないものである場合、ＡＰは、ＳＴＡによって送信されたデータを受信するだけでよくなり、すなわち、この方法はステップ６０５が完了しているならば終了する。
【０１１０】
ＳＴＡ１及びＳＴＡ２によって送信されたデータがＡＰの受信確認を必要とするものである場合、ステップ６０６が実行される。
【０１１１】
ステップ６０６、ＡＰは、ＳＩＦＳ期間待った後にＧ−ＡＣＫフレームをチャネル全体を介して返信する。
【０１１２】
図６に示されるように、ＡＰは、ＳＴＡ１及びＳＴＡ２によって送信されたＤＡＴＡ１フレーム及びＤＡＴＡ２フレームを受信し、Ｇ−ＡＣＫフレームをＳＴＡ１及びＳＴＡ２に、ＳＩＦＳ期間待った後にチャネル全体を通して返信する。この場合ＡＰは、Ｇ−ＡＣＫフレーム内のＳＴＡ１及びＳＴＡ２の受信確認情報を集約する。
【０１１３】
本発明の実施形態はチャネルアクセス方法、装置及びシステムを提供し、ＳＴＡは、チャネルのビジー／アイドル状態を監視して、チャネルがアイドル状態にあるときに、送信要求フレームをＡＰにチャネル内の１つのサブチャネルを介して送信し、ＡＰは、受信した送信要求フレームに従ってアクセス応答フレームをすべて又は一部のＳＴＡに返信する。さらに、これらのＳＴＡは、ＡＰによって送信されたアクセス応答フレームを受信し、またＤＡＴＡフレームを、ＡＰによって送信されたアクセス応答フレームに含まれるチャネル資源割り当て情報に従って割り当てられたサブチャネルで送信する。このようなチャネルアクセス方法によって、ＳＴＡはチャネル全体のビジー／アイドル状態を監視するだけでよくなり、それによってＳＴＡの監視処理を簡単にする。さらに、チャネル全体がアイドル状態にあるときだけ、これらのＳＴＡは、チャネル内の１つのサブチャネルを同時に選択して送信要求フレームをＡＰに送信することができる。これは、チャネルアクセスの際の時間同期を満たし、さらに、受信した送信要求フレームをＡＰが一様に処理することを可能にし、隣接周波数帯域の信号が互いに干渉しないようにする。
【０１１４】
実施形態３
本実施形態はさらに、チャネルアクセスが成功である場合のデータ伝送の方法を説明するための他の特定の実施形態を以下に詳細に提供する。
【０１１５】
本実施形態では、この方法は、実施形態１のステップ５０１〜５０４を含み、これらは本実施形態ではステップ７０１〜７０４であり、ここでは重複して繰り返さない。図７に示されるように、本実施形態はさらに以下のステップを含む。
【０１１６】
ステップ７０５、受信したＧ−ＣＴＳフレームに従ってＳＴＡ１は、チャネルがアイドルであるＳＩＦＳ期間待ち、次にＤＡＴＡ１フレームをＡＰにチャネル全体で送信し、ＳＴＡ２は、チャネルがアイドルであるＳＩＦＳ期間待ち、次にＤＡＴＡ２フレームをＡＰにチャネル全体で送信する。それに応じてＡＰは、図７に示されるように、ＳＴＡ１によって送信されたＤＡＴＡ１フレーム、及びＳＴＡ２によって送信されたＤＡＴＡ２フレームを受信する。
【０１１７】
ＳＴＡ１及びＳＴＡ２によって送信されたデータ（たとえば、ブロードキャストフレーム、マルチキャストフレーム）がＡＰの受信確認を必要としないものである場合、ＡＰは、ＳＴＡによって送信されたデータを受信するだけでよくなり、すなわち、この方法はステップ７０５が完了しているならば終了する。
【０１１８】
ＳＴＡ１及びＳＴＡ２によって送信されたデータがＡＰの受信確認を必要とするものである場合、ステップ７０６が実行される。
【０１１９】
ステップ７０６、図７に示されるように、ＳＴＡ１によって送信されたＤＡＴＡ１フレームを受信し、ＳＩＦＳ期間待った後に、ＡＰはＡＣＫ１フレームをチャネル全体を介して返信し、またＳＴＡ２によって送信されたＤＡＴＡ２フレームを受信し、ＳＩＦＳ期間待った後、ＡＰはＡＣＫ２フレームをチャネル全体を介して返信する。
【０１２０】
本発明の実施形態はチャネルアクセス方法、装置及びシステムを提供し、ＳＴＡがチャネルのビジー／アイドル状態を監視して、チャネルがアイドル状態にあるときに、送信要求フレームをＡＰにチャネル内の１つのサブチャネルを介して送信し、ＡＰは、受信した送信要求フレームに従ってアクセス応答フレームをすべて又は一部のＳＴＡに返信する。さらに、ＳＴＡのチャネルアクセスが成功である場合、そのＳＴＡはＤＡＴＡフレームを、アクセス応答フレームに含まれるチャネル資源割り当て情報に従ってチャネルで送信する。このようなチャネルアクセス方法によって、ＳＴＡはチャネル全体のビジー／アイドル状態を監視するだけでよくなり、それによってＳＴＡの監視処理を簡単にする。さらに、チャネル全体がアイドル状態にあるときだけ、これらのＳＴＡは、チャネル内の１つのサブチャネルを同時に選択して送信要求フレームをＡＰに送信することができる。これは、チャネルアクセスの際の時間同期を満たし、さらに、受信した送信要求フレームをＡＰが一様に処理することを可能にし、隣接周波数帯域の信号が互いに干渉しないようにする。
【０１２１】
本発明の実施形態は局を提供する。この局内のそれぞれの機能モジュールは、実行本体としての局を用いた上述の方法のステップに対応し、ここでは詳細に説明しない。図８に示すように、局８０は、
【０１２２】
チャネルのチャネル状態を監視するように構成された監視ユニットであって、チャネルが少なくとも２つのサブチャネルを含む監視ユニット８０１と、
【０１２３】
チャネルがアイドル状態にあることを監視ユニット８０１が監視したときに、送信要求フレームをアクセスポイントＡＰにチャネル内の少なくとも１つのサブチャネルを介して送信するように構成された送信ユニット８０２と、
【０１２４】
ＡＰによってフィードバックされたアクセス応答フレームが受信され、かつアクセス応答フレームが局の識別情報及びチャネル資源割り当て情報を含む場合に、チャネルアクセスが成功であると判定するように構成されたチャネルアクセスユニット８０３と
を含む。
【０１２５】
さらに、送信ユニット８０２は、図９に示すように、バックオフモジュール８０４及び送信モジュール８０５を含む。
【０１２６】
バックオフモジュール８０４は、チャネルがアイドル状態にあることを監視ユニット８０１が監視したときにバックオフ処理を実行するように構成される。
【０１２７】
送信モジュール８０５は、バックオフモジュール８０４がバックオフ処理を実行した後に送信要求フレームをＡＰにチャネル内の少なくとも１つのサブチャネルを介して送信するように構成される。
【０１２８】
さらに、送信ユニット８０２は選択モジュール８０６をさらに含み、選択モジュール８０６は、送信要求フレームを送信するための少なくとも１つのサブチャネルをチャネルから選択するように構成される。
【０１２９】
任意選択で、選択モジュール８０６は、図１０（ａ）に示されるように、バックオフモジュール８０４の前に位置してもよい。
【０１３０】
又は任意選択で、選択モジュール８０６はまた、図１０（ｂ）に示されるように、バックオフモジュール８０４の後ろにも位置してもよい。
【０１３１】
ＳＴＡがチャネルアクセスに成功し、かつデータを送信する必要がある場合、局８０はさらに、図１１に示されるように、データ伝送ユニット８０７を含む。データ伝送ユニット８０７は、チャネルアクセスユニット８０３のチャネルアクセスが成功である場合に、チャネルアクセスユニット８０３によって受信されたアクセス応答フレームに従ってデータＤＡＴＡフレームをアクセスポイントＡＰに送信するように構成される。
【０１３２】
さらに、データ伝送ユニット８０７は、図１２に示されるように、判定モジュール８０８及びデータ送信モジュール８０９を含む。
【０１３３】
判定モジュール８０８は、チャネルアクセスユニット８０３によって受信されたアクセス応答フレームに含まれる識別情報に従って局のチャネル資源割り当て情報を判定するように構成される。
【０１３４】
データ送信モジュール８０９は、判定モジュール８０８によって判定されたチャネル資源割り当て情報が、チャネルを使用することによってデータ伝送を行うというインジケーション情報を含む場合に、チャネルでＤＡＴＡフレームをアクセスポイントに送信するように構成され、又は、判定モジュール８０８によって判定されたチャネル資源割り当て情報が、少なくとも１つのサブチャネルを使用することによってデータ伝送を行うというインジケーション情報を含む場合に、少なくとも１つのサブチャネルでＤＡＴＡフレームを送信するように構成される。
【０１３５】
任意選択で、ＳＴＡによって送信されたデータがＡＰに受信確認フレームを返信することを要求するものである場合、局８０はさらに、図１３に示されるように、データ受信確認ユニット８１０を含む。
【０１３６】
データ受信確認ユニット８１０は、チャネル又はＳＴＡによって選択されたサブチャネルを通してＡＰによって送信された受信確認フレームを受信するように構成され、受信確認フレームは局の識別情報を含む、又は受信確認フレームは局の識別情報及び他の局の識別情報を含む。
【０１３７】
さらに、チャネルアクセスユニット８０３は、ＡＰによってフィードバックされたアクセス応答フレームが受信され、かつアクセス応答フレームが局の識別情報及びチャネル資源割り当て情報を含まない場合、又はＡＰによってフィードバックされたアクセス応答フレームが受信されない場合に、チャネルアクセスが失敗であると判定するようにさらに構成される。
【０１３８】
監視ユニット８０１はさらに、チャネルアクセスが失敗である場合にチャネルのチャネル状態を再監視するように構成される。
【０１３９】
本発明はさらに、アクセスポイント及び上述の少なくとも２つの局を含むチャネルアクセスシステムを提供し、
【０１４０】
このアクセスポイントは、局によって送信された送信要求フレームを受信するように構成され、受信した送信要求フレームに従ってアクセス応答フレームを生成し、アクセス応答フレームを局にフィードバックする。また局がチャネルアクセスに成功し、かつデータを送信する必要がある場合、アクセスポイントは、局によって送信されたデータフレーム受信し、局によって送信されたデータのタイプに従って受信確認フレームを返信する必要があるかどうかを判定するように構成される。
【０１４１】
本発明の実施形態は、チャネルアクセス装置及びシステムを提供し、ＳＴＡがチャネルのチャネル状態を監視して、チャネルがアイドル状態にあるときに送信要求フレームをＡＰにチャネル内の少なくとも１つのサブチャネルを通して送信し、ＡＰは、受信した送信要求フレームに従ってアクセス応答フレームをすべて又は一部のＳＴＡに返信し、ＳＴＡが、受信したアクセス応答フレームに従って、チャネルアクセスが成功であるかどうかを知る。さらに、チャネルアクセスが成功である場合、ＳＴＡがＤＡＴＡフレームを、アクセス応答フレームに含まれるチャネル資源割り当て情報に従ってサブチャネル又はチャネルで送信する。このようなチャネルアクセス方法によって、ＳＴＡがチャネル全体のビジー／アイドル状態を監視するだけでよくなり、それによってＳＴＡの監視処理を簡単にする。さらに、チャネル全体がアイドル状態にあるときだけ、これらのＳＴＡは、少なくとも１つのサブチャネルを同時に選択して送信要求フレームをＡＰに送信してもよい。これは、チャネルアクセスの際の時間同期を満たし、さらに、受信した送信要求フレームをＡＰが一様に処理することを可能にし、隣接周波数帯域の信号が互いに干渉しないようにする。
【０１４２】
本発明の実施形態は、図１４に示されるように、記憶装置１４０１、プロセッサ１４０２、送信器１４０３、及び受信器１４０４を含む局１４０を提供する。
【０１４３】
記憶装置１４０１はメモリでもよく、プログラムコードのグループが記憶装置１４０１内に格納され、これらのプログラムコードは、実行本体としての局１４０を用いてチャネルアクセス方法を実施するために使用される。
【０１４４】
プロセッサ１４０２は、記憶装置１４０１に格納されたプログラムコードを呼び出して、チャネルのチャネル状態を監視するように構成される。
【０１４５】
送信器１４０３は、チャネルがアイドル状態にあることをプロセッサ１４０２が監視したときに、送信要求フレームをアクセスポイントＡＰにチャネル内の少なくとも１つのサブチャネルを介して送信するように構成される。
【０１４６】
受信器１４０３は、ＡＰによってフィードバックされたアクセス応答フレームを受信するように構成され、アクセス応答フレームが局の識別情報及びチャネル資源割り当て情報を含む場合に、チャネルアクセスが成功であると判定される。局の識別情報及びチャネル資源割り当て情報は、ＡＰによってデータ伝送のために局に割り当てられたチャネル資源を示すために使用される。
【０１４７】
さらに、プロセッサ１４０２は、記憶装置１４０１に格納されているプログラムコードを呼び出して、チャネルがアイドル状態にあることが監視されたときにバックオフ処理を実行し、またバックオフ処理が終了した後に、送信要求フレームをＡＰにチャネル内の少なくとも１つのサブチャネルを介して送信するようにさらに構成される。
【０１４８】
さらに、プロセッサ１４０２は、記憶装置１４０１に格納されたプログラムコードを呼び出して、送信要求フレームを送信するための少なくとも１つのサブチャネルをチャネルから選択するようにさらに構成される。
【０１４９】
さらに、送信器１４０３は、受信したアクセス応答フレームに従ってデータＤＡＴＡフレームをＡＰに送信するようにさらに構成される。
【０１５０】
さらに、プロセッサ１４０２は、記憶装置１４０１に格納されているプログラムコードを呼び出して、受信器１４０４によって受信されたアクセス応答フレームに含まれる識別情報に従って局のチャネル資源割り当て情報を判定するようにさらに構成される。チャネル資源割り当て情報が、データを伝送するためにチャネルを使用するというインジケーション情報を含む場合に、局はＤＡＴＡフレームをアクセスポイントにチャネルで送信する、又は、チャネル資源割り当て情報が、データを伝送するために少なくとも１つのサブチャネルを使用するというインジケーション情報を含む場合には、局はＤＡＴＡフレームを少なくとも１つのサブチャネルで送信する。
【０１５１】
さらに、受信器１４０４は、チャネル又はＳＴＡによって選択されたサブチャネルを通してＡＰによって送信された受信確認フレームを受信するように構成され、受信確認フレームは局の識別情報を含み、又は受信確認フレームは局の識別情報及び他の局の識別情報をさらに含む。
【０１５２】
さらに、受信器１４０４は、ＡＰによってフィードバックされたアクセス応答フレームを受信するようにさらに構成され、アクセス応答フレームが局の識別情報若しくはチャネル資源割り当て情報を含まない場合、又はＡＰによってフィードバックされたアクセス応答フレームが受信されない場合に、チャネルアクセスが失敗であると判定される。
【０１５３】
チャネルアクセスが失敗である場合には、プロセッサ１４０２はさらに、記憶装置１４０１に格納されたプログラムコードを呼び出して、チャネルのチャネル状態を再監視するように構成される。
【０１５４】
本出願に提供されたいくつかの実施形態において、開示されたシステム、装置及び方法は他の方式でも実施され得ることを理解されたい。たとえば、上記の装置の実施形態は例示的なものにすぎず、たとえば、ユニットの区分は単なる論理機能区分であり、実際の実施では他の区分の方式が存在してもよく、たとえば、複数のユニット又は構成要素を他のシステムと組み合わせてもよく、又は一体化してもよく、或いはいくつかの機能を省略してもよく、又は実施しなくてもよい。加えて、表示された、又は論じられた相互結合又は直接結合又は通信接続は、いくつかのインターフェース、装置又はユニットを介した装置又はユニットの間接結合又は通信接続でもよく、また電気的形式、機械的形式又は他の形式としてもよい。
【０１５５】
別個の構成要素として説明されたユニットは、物理的に分離されていてもされていなくてもよく、ユニットとして表示された構成要素は、物理的なユニットであってもなくてもよく、すなわち１つの場所に設置されていても、複数のネットワークユニットに分散されていてもよい。ユニットの一部又は全部は、実施形態における解決策の目的を実際の要望に従って実現するように選択されてもよい。
【０１５６】
加えて、本発明のそれぞれの実施形態のそれぞれの機能ユニットを処理ユニットとして一体化してもよく、或いはユニットが単独で物理的に存在してもよく、又は２つ以上のユニットを１つのユニットとして一体化してもよい。上述の一体化したユニットは、ハードウェアの形で実施されてもよく、又はハードウェアにソフトウェア機能ユニットを加えた形で実施されてもよい。
【０１５７】
ソフトウェア機能ユニットの形で実施される上述の一体化したユニットは、コンピュータ可読記憶媒体に格納されてもよい。上述のソフトウェア機能ユニットは、記憶媒体に格納され、コンピュータデバイス（パーソナルコンピュータ、サーバ、ネットワークデバイスなどでよい）が本発明の実施形態における方法のステップの一部を実行できるようにする複数の命令を含む。前述の記憶媒体は、ＵＳＢディスク、モバイルハードディスク、読出し専用メモリ（Ｒｅａｄ−Ｏｎｌｙ  Ｍｅｍｏｒｙ、ＲＯＭと呼ばれる）、ランダムアクセスメモリ（Ｒａｎｄｏｍ  Ａｃｃｅｓｓ  Ｍｅｍｏｒｙ、ＲＡＭと呼ばれる）、磁気ディスク、光ディスクなど、プログラムコードを格納できる様々な媒体を含む。
【０１５８】
最後に、上述の実施形態は、本発明の技術的解決策を説明するために用いられるにすぎず、これらを限定するものではないことに留意されたい。本発明を前述の実施形態に関して詳細に説明したが、当業者は、前述の実施形態に記録された技術的解決策になお修正が加えられ得ること、又は同等の置換えがなお、実施形態の技術的特徴の一部に対しなされ得ること、並びにこれらの修正又は置換えが、対応する技術的解決策の本質を、本発明の実施形態の技術的解決策の趣旨及び範囲から逸脱させないことを理解するべきである。
【図１】
2016530808.tif 000003
【図２】
2016530808.tif 000004
【図３】
2016530808.tif 000005
【図４】
2016530808.tif 000006
【図５】
2016530808.tif 000007
【図６】
2016530808.tif 000008
【図７】
2016530808.tif 000009
【図８】
2016530808.tif 000010
【図９】
2016530808.tif 000011
【図１０】
2016530808.tif 000012
【図１１】
2016530808.tif 000013
【図１２】
2016530808.tif 000014
【図１３】
2016530808.tif 000015
【図１４】
2016530808.tif 000016
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
局（ＳＴＡ）によってチャネルのチャネル状態を監視するステップであって、前記チャネルが少なくとも２つのサブチャネルを含むステップと、
前記チャネルがアイドル状態にあることが監視されたときに、送信要求フレームをアクセスポイント（ＡＰ）に前記チャネル内の少なくとも１つのサブチャネルを介して送信するステップと、
前記ＡＰによってフィードバックされたアクセス応答フレームが受信され、かつ前記アクセス応答フレームが前記局の識別情報及びチャネル資源割り当て情報を含む場合に、チャネルアクセスが成功であると判定するステップであって、前記局の前記識別情報及び前記チャネル資源割り当て情報が、前記ＡＰによってデータ伝送のために前記局に割り当てられたチャネル資源を示すために使用されるステップと
を含む、チャネルアクセス方法。
【請求項２】
前記チャネルがアイドル状態にあることが監視されたときに、送信要求フレームをアクセスポイントＡＰに前記チャネル内の少なくとも１つのサブチャネルを介して送信する前記ステップが、
前記チャネルがアイドル状態にあることが監視されたときにバックオフ処理を実行するステップと、
前記バックオフ処理が終了した後に前記送信要求フレームを前記ＡＰに前記チャネル内の少なくとも１つのサブチャネルを介して送信するステップと
を含む、請求項１に記載の方法。
【請求項３】
前記チャネルがアイドル状態にあることが監視されたときに、送信要求フレームをアクセスポイントＡＰに前記チャネル内の少なくとも１つのサブチャネルを介して送信する前記ステップの前に、
前記チャネルから前記送信要求フレームを送信するための少なくとも１つのサブチャネルを選択するステップをさらに含む、請求項１又は２に記載の方法。
【請求項４】
前記アクセス応答フレームが前記ＡＰから前記ＳＴＡへ、前記チャネル又は前記ＳＴＡによって選択された前記サブチャネルを介してフィードバックされる、請求項３に記載の方法。
【請求項５】
前記局によって、前記受信したアクセス応答フレームに従ってデータ（ＤＡＴＡ）フレームを前記ＡＰに送信するステップをさらに含む、請求項１から４のいずれかに記載の方法。
【請求項６】
前記局によって、前記受信したアクセス応答フレームに従ってデータ（ＤＡＴＡ）フレームを前記ＡＰに送信する前記ステップが、
前記局によって、前記受信したアクセス応答フレームに含まれる前記識別情報に従って前記局の前記チャネル資源割り当て情報を判定するステップと、
前記チャネル資源割り当て情報が、前記チャネルを使用することによってデータ伝送を行うというインジケーション情報を含む場合に、前記局によって前記チャネルで前記ＤＡＴＡフレームを前記アクセスポイントに送信するステップ、又は
前記チャネル資源割り当て情報が、少なくとも１つのサブチャネルを使用することによってデータ伝送を行うというインジケーション情報を含む場合に、前記局によって前記少なくとも１つのサブチャネルで前記ＤＡＴＡフレームを送信するステップ
を含む、請求項５に記載の方法。
【請求項７】
前記ＤＡＴＡフレームが前記ＡＰの受信確認を必要とするものである場合、
前記チャネル又は前記ＳＴＡによって選択されたサブチャネルを介して前記ＡＰによって送信された受信確認フレームを受信するステップであって、前記受信確認フレームが前記局の前記識別情報を含む、又は前記受信確認フレームが前記局の前記識別情報及び他の局の識別情報を含むステップ
をさらに含む、請求項５又は６に記載の方法。
【請求項８】
前記局が前記ＡＰによってフィードバックされたアクセス応答フレームを受信し、かつ前記アクセス応答フレームが前記局の前記識別情報及び前記チャネル資源割り当て情報を含まない場合、又は、前記局が前記ＡＰによってフィードバックされたアクセス応答フレームを受信しない場合に、前記チャネルアクセスが失敗であると判定するステップをさらに含み、
前記チャネルアクセスが失敗である場合に、
前記局によって、前記チャネルのチャネル状態を再監視するステップ
をさらに含む、請求項１から４のいずれかに記載の方法。
【請求項９】
局（ＳＴＡ）であって、
チャネルのチャネル状態を監視するように構成された監視ユニットであって、前記チャネルが少なくとも２つのサブチャネルを含む監視ユニットと、
前記チャネルがアイドル状態にあることが監視されたときに、送信要求フレームをアクセスポイント（ＡＰ）に前記チャネル内の少なくとも１つのサブチャネルを介して送信するように構成された送信ユニットと、
前記ＡＰによってフィードバックされたアクセス応答フレームが受信され、かつ前記アクセス応答フレームが前記局の識別情報及びチャネル資源割り当て情報を含む場合に、チャネルアクセスが成功であると判定するように構成されたチャネルアクセスユニットであって、前記局の前記識別情報及び前記チャネル資源割り当て情報が、前記ＡＰによってデータ伝送のために前記局に割り当てられたチャネル資源を示すために使用されるアクセスユニットと
を備える局。
【請求項１０】
前記送信ユニットがバックオフモジュール及び送信モジュールを備え、
前記バックオフモジュールが、前記チャネルがアイドル状態にあることが監視されたときに、バックオフ処理を実行するように構成され、
前記送信モジュールが、前記バックオフモジュールによって実行された前記バックオフ処理が終了した後に、前記送信要求フレームを前記ＡＰに前記チャネル内の少なくとも１つのサブチャネルを介して送信するように構成される、請求項９に記載の局。
【請求項１１】
前記送信ユニットがさらに選択モジュールを備え、
前記選択モジュールが、前記チャネルから前記送信要求フレームを送信するための少なくとも１つのサブチャネルを選択するように構成される、請求項９又は１０に記載の局。
【請求項１２】
前記アクセス応答フレームが前記ＡＰによって前記ＳＴＡへ、前記チャネル又は前記ＳＴＡによって選択された前記サブチャネルを介してフィードバックされる、請求項１１に記載の局。
【請求項１３】
データ伝送ユニットをさらに備え、
前記データ伝送ユニットが、前記チャネルアクセスが成功である場合に、前記チャネルアクセスユニットによって受信された前記アクセス応答フレームに従ってデータ（ＤＡＴＡ）フレームを前記アクセスポイントＡＰに送信するように構成される、請求項９から１２のいずれかに記載の局。
【請求項１４】
前記データ伝送ユニットが判定モジュール及びデータ送信モジュールを備え、
前記判定モジュールが、前記チャネルアクセスユニットによって受信された前記アクセス応答フレームに含まれる前記識別情報に従って前記局の前記チャネル資源割り当て情報を判定するように構成され、
前記データ送信モジュールは、前記判定モジュールによって判定された前記チャネル資源割り当て情報が、前記チャネルを使用することによってデータ伝送を行うというインジケーション情報を含む場合に、前記チャネルで前記ＤＡＴＡフレームを前記アクセスポイントに送信するように構成され、又は、前記判定モジュールによって判定された前記チャネル資源割り当て情報が、少なくとも１つのサブチャネルを使用することによってデータ伝送を行うというインジケーション情報を含む場合に、前記少なくとも１つのサブチャネルで前記ＤＡＴＡフレームを送信するように構成される、請求項１３に記載の局。
【請求項１５】
データ受信確認ユニットをさらに備え、
前記データ受信確認ユニットが、前記チャネル又は前記ＳＴＡによって選択された前記サブチャネルを介して前記ＡＰによって送信された受信確認フレームを受信するように構成され、前記受信確認フレームが前記局の前記識別情報を含む、又は前記受信確認フレームが前記局の前記識別情報及び他の局の識別情報を含む、請求項１３又は１４に記載の局。
【請求項１６】
前記チャネルアクセスユニットがさらに、前記ＡＰによってフィードバックされたアクセス応答フレームが受信され、かつ前記アクセス応答フレームが前記局の前記識別情報及び前記チャネル資源割り当て情報を含まない場合、又は前記ＡＰによってフィードバックされたアクセス応答フレームが受信されない場合に、前記チャネルアクセスが失敗であると判定するように構成され、
前記監視ユニットがさらに、前記チャネルアクセスが失敗である場合に前記チャネルの前記チャネル状態を再監視するように構成される、請求項９から１２のいずれかに記載の局。
【請求項１７】
アクセスポイントと、請求項９から１６のいずれかに記載の少なくとも２つの局とを含む、チャネルアクセスシステム。
【国際調査報告】
2016530808.tif 000017
2016530808.tif 000018
2016530808.tif 000019
2016530808.tif 000020